(57)【要約】【課題】相互容量の大きさに関係なく、高精度にタッチポイントを検出することができるタッチセンサ内蔵型表示装置およびその駆動方法を得る。【解決手段】液晶駆動用の電極をタッチセンサとして用いるインセル型のタッチパネルを備えたタッチセンサ内蔵型表示装置であって、タッチパネルのセンシング信号のパルスを出力するのと同じタイミングで、センシング信号のパルスとは逆位相のパルスを出力することにより、相互容量の大きさを低減する相互容量低減部を備えている。【選択図】図１
2015118654.tif 000002
【特許請求の範囲】
【請求項１】
液晶駆動用の電極をタッチセンサとして用いるインセル型のタッチパネルを備えたタッチセンサ内蔵型表示装置であって、
前記タッチパネルのセンシング信号のパルスを出力するのと同じタイミングで、前記センシング信号のパルスとは逆位相のパルスを出力することにより、相互容量の大きさを低減する相互容量低減部を備えた
タッチセンサ内蔵型表示装置。
【請求項２】
前記相互容量低減部は、前記相互容量の変化を打ち消すためのキャリブレーション補正データを出力する逆位相スキャン調整回路を有する
請求項１に記載のタッチセンサ内蔵型表示装置。
【請求項３】
前記相互容量低減部は、前記センシング信号のパルスを出力するラインとは異なるラインに、前記センシング信号のパルスと逆位相のパルスを、前記センシング信号と同じタイミングで出力し、全てのラインを順次スキャンする対策駆動回路を有する
請求項１または請求項２に記載のタッチセンサ内蔵型表示装置。
【請求項４】
前記センシング信号のパルスを出力するラインとは別に、タッチ動作エリア外に設けられたダミーラインをさらに備え、
前記相互容量低減部は、前記ダミーラインに、前記センシング信号のパルスと逆位相のパルスを、前記センシング信号と同じタイミングで出力するＭＵＸ回路を有する
請求項１または請求項２に記載のタッチセンサ内蔵型表示装置。
【請求項５】
前記センシング信号のパルスを出力するラインと交差し、前記センシング信号に対するスキャン信号が入力されるライン上に、メッシュ層を設けて形成された容量回路をさらに備え、
前記相互容量低減部は、前記センシング信号のパルスを出力するラインと同一のラインについて、前記センシング信号のパルスと逆位相のパルスを用いて、前記相互容量の大きさを低減するＭＵＸ回路を有する
請求項１または請求項２に記載のタッチセンサ内蔵型表示装置。
【請求項６】
液晶駆動用の電極をタッチセンサとして用いるインセル型のタッチパネルを備えたタッチセンサ内蔵型表示装置で実行される駆動方法であって、
前記タッチパネルのセンシング信号のパルスを出力するのと同じタイミングで、前記センシング信号のパルスとは逆位相のパルスを出力することにより、相互容量の大きさを低減する相互容量低減ステップを有する
タッチセンサ内蔵型表示装置の駆動方法。
【発明の詳細な説明】
【技術分野】
【０００１】
この発明は、インセル型のタッチパネルを備えたタッチセンサ内蔵型表示装置およびその駆動方法に関する。
【背景技術】
【０００２】
近年、スマートフォンやタブレット端末は、薄型化が進んでおり、静電容量方式のタッチパネルは、液晶ディスプレイ（ＬＣＤ：Ｌｉｑｕｉｄ  Ｃｒｙｓｔａｌ  Ｄｉｓｐｌａｙ）内部にセンサを取り込む方向になっている（例えば、特許文献１参照）。
【０００３】
図１５は、従来のインセル型のタッチパネルを備えたタッチセンサ内蔵型表示装置１０を示す断面図である。図１５において、この表示装置１０は、第１偏光板１１、ＴＦＴ（Ｔｈｉｎ  Ｆｉｌｍ  Ｔｒａｎｓｉｓｔｏｒ）側ガラス基板１２、共通電極１３、カラーフィルタ側ガラス基板１４、第２偏光板１５、接着剤１６およびカバーガラス１７が、層状に重ねられて構成されている。なお、液晶は、ＴＦＴ側ガラス基板１２と共通電極１３との間に注入等されるが、図示を省略している。また、カラーフィルタおよび配向膜も、図示を省略している。
【０００４】
ここで、インセル型のタッチパネルは、液晶駆動用の共通電極１３をタッチセンサ（ＴｘセンサおよびＲｘセンサ）として使用している。すなわち、ＬＣＤ駆動時は、共通電極１３に液晶駆動用の共通電圧Ｖｃｏｍが印加され、タッチ駆動時は、共通電極１３にセンシング信号Ｔｘの電圧が印加される。
【０００５】
図１６は、図１５に示した表示装置１０の駆動回路を示す回路ブロック図である。図１６において、この駆動回路は、タッチパネルを備えた表示装置（ディスプレイ）１０、タイミングコントローラ２０、タッチパネルコントローラ３０およびホストコントローラ４０を備えている。
【０００６】
タイミングコントローラ２０は、ホストコントローラ４０から入力されるクロック信号、画像データ信号および水平同期信号に基づいて、表示装置１０にＬＣＤ制御信号を出力し、表示装置１０に共通電圧Ｖｃｏｍを印加して、表示装置１０の液晶書き込みを実行する。また、タイミングコントローラ２０は、タッチパネルコントローラ３０に対して、水平同期信号に同期した水平制御信号を出力する。
【０００７】
タッチパネルコントローラ３０は、タッチ駆動時に、表示装置１０に矩形波のセンシング信号Ｔｘを出力するとともに、表示装置１０からのスキャン信号Ｒｘが入力される。このとき、タッチパネルコントローラ３０は、水平制御信号のパルスｎ（ｎは、１以上の整数、例えばｎ＝４）回ごとに１回、ノイズ期間を避けて表示装置１０にセンシング信号Ｔｘを出力する。
【０００８】
また、タッチパネルコントローラ３０は、入力されたスキャン信号Ｒｘに基づいて、座標データ信号をホストコントローラ４０に出力する。なお、この駆動回路において、タッチパネルコントローラ３０の動作タイミングは、タイミングコントローラ２０の動作タイミングから独立している。
【０００９】
図１７は、図１６に示した駆動回路におけるタッチ駆動時の動作を示すタイミングチャートである。図１７において、この駆動回路は、タイミングコントローラ２０からの水平制御信号に基づいて、ノイズを回避するタイミングで、１垂直期間にＴｘ＿ｎからＴｘ＿ｅｎｄまで順次スキャンし、タッチポイントを検出している。
【００１０】
図１８は、図１６に示した駆動回路におけるタッチデータの抽出方法を示す説明図である。なお、ここでは、後述する付加相互容量によって増加する相互容量の影響については、考えないものとする。
【００１１】
図１８において、実線はタッチなし時の電荷の積分値を示し、破線はタッチあり時の電荷の積分値を示している。ここで、タッチデータは、センシング信号Ｔｘ＿ｎの１パルスあたりの電荷の変化量ΔＩｎｔ＿ｎと、タッチなし時の電荷の積分値とタッチあり時の電荷の積分値との差ΔＩｎｔ＿Ｔｏｕｃｈとに基づいて（ΔＩｎｔ＿Ｔｏｕｃｈ／ΔＩｎｔ＿ｎ）抽出される。
【００１２】
なお、タッチデータの抽出は、タッチなし時とタッチあり時との電荷の積分値の差ΔＩｎｔ＿Ｔｏｕｃｈが大きいことが有効であり、センシング信号Ｔｘ＿ｎのパルスの回数を増加させて積み上げ回数（積分数）を増やすことにより、タッチなし時とタッチあり時との電荷の積分値の差ΔＩｎｔ＿Ｔｏｕｃｈを大きくすることができる。
【００１３】
また、センシング信号Ｔｘ＿ｎの１パルスあたりの電荷の変化量ΔＩｎｔ＿ｎの大きさは、相互容量およびセンシング信号Ｔｘ＿ｎのパルス電圧の影響を受ける（∵Ｑ＝ＣＶ）。そのため、タッチデータの抽出は、センシング信号Ｔｘ＿ｎのパルス電圧が高く、センシング信号Ｔｘ＿ｎのパルスの回数が多いことが有効である。
【先行技術文献】
【特許文献】
【００１４】
【特許文献１】特開２０１２−２０３９０１号公報
【発明の概要】
【発明が解決しようとする課題】
【００１５】
しかしながら、従来技術には、以下のような課題がある。
図１５に示した従来のインセル型のタッチパネルを備えた表示装置１０は、共通電極１３をタッチセンサとして使用しているので、構造上タッチセンサがゲートラインおよびソースラインに近接することにより、カップリング成分による付加相互容量が発生し、相互容量Ｃｍが増加する。
【００１６】
ここで、相互容量Ｃｍが増加すると、図１８に示したセンシング信号Ｔｘ＿ｎの１パルスあたりの電荷の変化量ΔＩｎｔ＿ｎが大きくなるので、積分値がすぐに飽和し、タッチデータを抽出することができなくなる。そこで、センシング信号Ｔｘ＿ｎのパルス電圧またはパルスの回数を低減することが考えられるが、この場合には、タッチなし時とタッチあり時との電荷の積分値の差ΔＩｎｔ＿Ｔｏｕｃｈが小さくなるので、有効なタッチデータを抽出することが困難になる。
【００１７】
また、タッチパネルコントローラの内部補正回路において、この増加した相互容量Ｃｍを補正（Ｃａｎｃｅｌ）することが困難なので、相互容量の大きなインセル型のタッチパネルでは、タッチポイントの検出ができなかったり、タッチポイントの検出精度が著しく低下したりするという問題がある。以下、このような問題を具体的に例示する。
【００１８】
図１９は、インセル型のタッチパネルにおいて、相互容量Ｃｍを例えば１２．２ｐＦとした場合の電荷の積分値の変化を示す説明図である。なお、インセル型ではないタッチパネルの相互容量は、通常１〜２ｐＦ程度である。図１９において、相互容量Ｃｍがインセル型ではないタッチパネルよりも６〜１０倍程度高いので、２パルスでも電荷の積分値の飽和が発生し、タッチポイントの検出に必要な生データ（Ｒａｗ  Ｄａｔａ）を検出することができない。
【００１９】
図２０は、インセル型のタッチパネルを備えた表示装置における相互容量Ｃｍの増加を示す説明図である。図２０において、タッチセンサは、ゲートラインと平行に配置されたＴｘライン、Ｔｘラインと交差し、ソースラインと平行に配置されたＲｘライン、およびＴｘラインとＲｘラインとの交差箇所に形成された相互容量Ｃｍ（図中の破線参照）を含む。
【００２０】
また、図２０において、インセル型のタッチパネルを備えた表示装置では、上述したように、構造上タッチセンサがゲートラインおよびソースラインに近接することにより、カップリング成分（Ｃｃｇ（Ｔｘ）＋Ｃｃｇ（Ｒｘ））による付加相互容量（図中の一点鎖線参照）が発生し、相互容量Ｃｍが増加する。
【００２１】
図２１は、インセル型のタッチパネルにおいて、相互容量Ｃｍが大きい場合のタッチデータの抽出を示す説明図である。図２１において、実線はタッチなし時の電荷の積分値を示し、破線はタッチあり時の電荷の積分値を示している。図２１より、相互容量Ｃｍが大きくなることで、センシング信号Ｔｘ＿ｎの１パルスあたりの電荷の変化量ΔＩｎｔ＿ｎが大きくなり、積分値が飽和するので、タッチデータを抽出することができなくなる。
【００２２】
この発明は、上記のような課題を解決するためになされたものであり、相互容量の大きさに関係なく、高精度にタッチポイントを検出することができるタッチセンサ内蔵型表示装置およびその駆動方法を得ることを目的とする。
【課題を解決するための手段】
【００２３】
この発明に係るタッチセンサ内蔵型表示装置は、液晶駆動用の電極をタッチセンサとして用いるインセル型のタッチパネルを備えたタッチセンサ内蔵型表示装置であって、タッチパネルのセンシング信号のパルスを出力するのと同じタイミングで、センシング信号のパルスとは逆位相のパルスを出力することにより、相互容量の大きさを低減する相互容量低減部を備えたものである。
【００２４】
また、この発明に係るタッチセンサ内蔵型表示装置の駆動方法は、液晶駆動用の電極をタッチセンサとして用いるインセル型のタッチパネルを備えたタッチセンサ内蔵型表示装置で実行される駆動方法であって、タッチパネルのセンシング信号のパルスを出力するのと同じタイミングで、センシング信号のパルスとは逆位相のパルスを出力することにより、相互容量の大きさを低減する相互容量低減ステップを有するものである。
【発明の効果】
【００２５】
この発明に係るタッチセンサ内蔵型表示装置およびその駆動方法によれば、タッチパネルのセンシング信号のパルスを出力するのと同じタイミングで、センシング信号のパルスとは逆位相のパルスを出力することにより、相互容量の大きさを低減する。
そのため、相互容量の大きさに関係なく、高精度にタッチポイントを検出することができるタッチセンサ内蔵型表示装置およびその駆動方法を得ることができる。
【図面の簡単な説明】
【００２６】
【図１】（ａ）〜（ｃ）は、この発明に係るタッチセンサ内蔵型表示装置およびその駆動方法の要旨を説明するための図である。
【図２】この発明に係るタッチセンサ内蔵型表示装置のタッチ駆動波形を示す説明図である。
【図３】この発明に係るタッチセンサ内蔵型表示装置およびその駆動方法の効果を説明するための図である。
【図４】この発明の実施の形態１に係るタッチセンサ内蔵型表示装置の駆動回路を示す回路ブロック図である。
【図５】図４に示した駆動回路の逆位相スキャン調整回路を示す回路ブロック図である。
【図６】図４に示した駆動回路の対策駆動回路を示す回路ブロック図である。
【図７】図４に示した駆動回路におけるタッチ駆動時の動作を示すタイミングチャートである。
【図８】この発明の実施の形態２に係るタッチセンサ内蔵型表示装置の駆動回路を示す回路ブロック図である。
【図９】この発明の実施の形態２に係るタッチセンサ内蔵型表示装置のダミーラインの設置例を示す説明図である。
【図１０】図８に示した駆動回路のＭＵＸ回路を示す回路ブロック図である。
【図１１】図８に示した駆動回路におけるタッチ駆動時の動作を示すタイミングチャートである。
【図１２】この発明の実施の形態３に係るタッチセンサ内蔵型表示装置の駆動回路を示す回路ブロック図である。
【図１３】図１２に示した駆動回路のＭＵＸ回路および容量回路を示す回路ブロック図である。
【図１４】図１２に示した駆動回路におけるタッチ駆動時の動作を示すタイミングチャートである。
【図１５】従来のインセル型のタッチパネルを備えたタッチセンサ内蔵型表示装置を示す断面図である。
【図１６】図１５に示した表示装置の駆動回路を示す回路ブロック図である。
【図１７】図１６に示した駆動回路におけるタッチ駆動時の動作を示すタイミングチャートである。
【図１８】図１６に示した駆動回路におけるタッチデータの抽出方法を示す説明図である。
【図１９】インセル型のタッチパネルにおいて、相互容量を例えば１２．２ｐＦとした場合の電荷の積分値の変化を示す説明図である。
【図２０】インセル型のタッチパネルを備えた表示装置における相互容量の増加を示す説明図である。
【図２１】インセル型のタッチパネルにおいて、相互容量が大きい場合のタッチデータの抽出を示す説明図である。
【発明を実施するための形態】
【００２７】
以下、この発明に係るタッチセンサ内蔵型表示装置およびその駆動方法の好適な実施の形態につき図面を用いて説明するが、各図において同一、または相当する部分については、同一符号を付して説明する。
【００２８】
まず、図１〜３を参照しながら、この発明の要旨について説明する。図１は、この発明に係るタッチセンサ内蔵型表示装置およびその駆動方法の要旨を説明するための図である。また、図２は、この発明に係るタッチセンサ内蔵型表示装置のタッチ駆動波形を示す説明図である。また、図３は、この発明に係るタッチセンサ内蔵型表示装置およびその駆動方法の効果を説明するための図である。
【００２９】
図１において、（ａ）は正のセンシング信号Ｔｘのパルスを印加した場合の電荷の積分値を示し、（ｂ）は負のセンシング信号Ｔｘのパルスを印加した場合の電荷の積分値を示し、（ｃ）はこの発明の駆動方法によるセンシング信号Ｔｘのパルスを印加した場合の電荷の積分値を示している。
【００３０】
図１（ａ）に示されるように、センシング信号Ｔｘのパルスが正である場合には、マイナスの電荷がチャージされるので、電荷の積分値は減少する。反対に、図１（ｂ）に示されるように、センシング信号Ｔｘのパルスが負である場合には、プラスの電荷がチャージされるので、電荷の積分値は増加する。
【００３１】
ここで、図１（ｃ）に示されるように、センシング信号Ｔｘのパルスを出力するＴｘライン（Ｔｘ＿ｎ）とは異なるＴｘライン（Ｔｘ＿ｍ）について、センシング信号Ｔｘのパルスと逆位相（１８０°）のパルスを同じタイミングで出力することにより、センシング信号Ｔｘの１パルスあたりの電荷の変化量ΔＩｎｔを小さくすることができる。また、この逆位相（１８０°）のパルスの電圧を調整することにより、電荷の変化量ΔＩｎｔを調整することができる。
【００３２】
すなわち、図２に示されるように、センシング信号Ｔｘのパルスを出力するのと同じタイミングで、センシング信号Ｔｘのパルスとは逆位相（１８０°）のパルスを出力するとともに、この逆位相（１８０°）のパルスの電圧を調整して電荷の変化量ΔＩｎｔを調整することにより、電荷の積分値が飽和しないので、相互容量Ｃｍの大きさに関係なく、タッチデータを抽出することができ、高精度にタッチポイントを検出することができる。
【００３３】
また、図３に示されるように、上述した従来のタッチ駆動に係る図１９と、この発明のタッチ駆動に係る図２とを比較すると、従来のタッチ駆動では、相互容量Ｃｍが大きく、電荷の積分値がすぐに飽和してタッチポイントを検出することができないのに対して、この発明のタッチ駆動によれば、電荷の積分値が飽和しないので、タッチポイントの検出に必要な生データ（Ｒａｗ  Ｄａｔａ）を検出することができる。
【００３４】
実施の形態１．
この発明の実施の形態１では、センシング信号Ｔｘのパルスを出力するＴｘライン（Ｔｘ＿ｎ）とは異なるＴｘライン（Ｔｘ＿ｍ）に、センシング信号Ｔｘのパルスと逆位相（１８０°）のパルスを同じタイミングで出力し（逆位相スキャン）、Ｔｘラインを順次スキャンすることで、この発明のタッチ駆動を実現する。
【００３５】
なお、この発明の実施の形態１に係るインセル型のタッチパネルを備えたタッチセンサ内蔵型表示装置の構成は、図１５に示したものと同様なので、説明を省略する。また、後述する実施の形態２、３においても、タッチセンサ内蔵型表示装置の構成は、図１５に示したものと同様である。
【００３６】
図４は、この発明の実施の形態１に係るタッチセンサ内蔵型表示装置の駆動回路を示す回路ブロック図である。図４において、この駆動回路は、図１６に示したタッチパネルコントローラ３０に代えて、タッチパネルコントローラ３０Ａを備え、逆位相スキャン調整回路（相互容量低減部）５０および対策駆動回路（相互容量低減部）６０をさらに備えている。駆動回路のその他のブロック構成は、図１１に示したものと同様なので、説明を省略する。
【００３７】
タッチパネルコントローラ３０Ａは、逆位相スキャン調整回路５０に対して、増加した相互容量Ｃｍを補正するためのキャリブレーション補正データを出力するとともに、対策駆動回路６０に対して、センシング信号Ｔｘのパルス電圧（Ｔｘスキャン電圧）を含むＴｘ同期信号を出力する。なお、キャリブレーション補正データは、タッチパネルコントローラ３０Ａの内部補正回路用のデータである。また、逆位相スキャン調整回路５０は、対策駆動回路６０に対して、逆位相スキャン電圧を出力する。
【００３８】
図５は、図４に示した駆動回路の逆位相スキャン調整回路５０を示す回路ブロック図である。図５において、逆位相スキャン調整回路５０は、抵抗制御部５１、可変抵抗５２およびオペアンプ５３を有している。なお、抵抗制御部５１および可変抵抗５２は、例えばデジタルポテンショメータ（Ｄｉｇｉｔａｌ  Ｐｏｔｅｎｔｉａｌ  Ｍｅｔｅｒ）等によって構成されている。
【００３９】
抵抗制御部５１は、タッチパネルコントローラ３０Ａからのキャリブレーション補正データに基づいて、可変抵抗５２に抵抗制御信号を出力する。可変抵抗５２は、抵抗制御部５１からの抵抗制御信号に応じて抵抗値が可変され、オペアンプ５３の反転入力端子に入力される電圧を調整する。オペアンプ５３は、反転入力端子に入力される電圧と所定の参照電圧Ｖｒｅｆとを比較して、逆位相スキャン電圧を出力する。
【００４０】
図６は、図４に示した駆動回路の対策駆動回路６０を示す回路ブロック図である。また、図７は、図４に示した駆動回路におけるタッチ駆動時の動作を示すタイミングチャートである。図６において、対策駆動回路６０は、複数のマルチプレクサ（ＭＵＸ）６１および各ＭＵＸ６１に対応したスイッチ６２を有している。
【００４１】
図６では、ＭＵＸ６１として、Ｔｘ＿ｎラインおよびＴｘ＿ｍラインに接続されたＭＵＸ＿ｎ、並びにＴｘ＿ｎ＋１ラインおよびＴｘ＿ｍ＋１ラインに接続されたＭＵＸ＿ｎ＋１を示し、スイッチ６２として、ＭＵＸ＿ｎおよびＭＵＸ＿ｎ＋１に対応したスイッチＳＷ＿ｎおよびＳＷ＿ｎ＋１を示している。
【００４２】
図６、７より、ＭＵＸ＿ｎは、Ｔｘ＿ｎラインまたはＴｘ＿ｍラインが１（ハイ状態）である場合に、ＳＷ＿ｎの入力ｉｎ１にＴｘスキャン電圧を出力し、入力ｉｎ２に逆位相スキャン電圧を出力する。また、ＭＵＸ＿ｎは、Ｔｘ＿ｎラインおよびＴｘ＿ｍラインが０（ロー状態、ハイ状態以外は全てロー状態とする）である場合に、ＳＷ＿ｎの入力ｉｎ１、ｉｎ２に、液晶駆動用の共通電圧Ｖｃｏｍを出力する。
【００４３】
ＳＷ＿ｎは、Ｔｘ＿ｎラインが１であり、Ｔｘ＿ｍラインが０である場合、並びにＴｘ＿ｎラインおよびＴｘ＿ｍラインが０である場合に、入力ｉｎ１を出力Ｑ１から出力し、入力ｉｎ２を出力Ｑ２から出力する。また、ＳＷ＿ｎは、Ｔｘ＿ｎラインが０であり、Ｔｘ＿ｍラインが１である場合に、入力ｉｎ２を出力Ｑ１から出力し、入力ｉｎ１を出力Ｑ２から出力する。
【００４４】
このように、Ｔｘ＿ｎラインにセンシング信号Ｔｘのパルスを出力するとともに、Ｔｘ＿ｎラインとは異なるＴｘ＿ｍラインに、センシング信号Ｔｘのパルスと逆位相（１８０°）のパルスを同じタイミングで出力し、次のフレームでは、Ｔｘ＿ｎ＋１ラインにセンシング信号Ｔｘのパルスを出力するとともに、Ｔｘ＿ｍ＋１ラインに、センシング信号Ｔｘのパルスと逆位相（１８０°）のパルスを同じタイミングで出力し、これを順次繰り返すことで、この発明のタッチ駆動を実現することができる。
【００４５】
以上のように、実施の形態１によれば、タッチパネルのセンシング信号のパルスを出力するのと同じタイミングで、センシング信号のパルスとは逆位相のパルスを出力することにより、相互容量の大きさを低減する相互容量低減部を備えている。
また、相互容量低減部は、相互容量の変化を打ち消すためのキャリブレーション補正データを出力する逆位相スキャン調整回路を有している。
また、相互容量低減部は、センシング信号のパルスを出力するラインとは異なるラインに、センシング信号のパルスと逆位相のパルスを、センシング信号と同じタイミングで出力し、全てのラインを順次スキャンする対策駆動回路を有している。
そのため、相互容量の大きさに関係なく、高精度にタッチポイントを検出することができるタッチセンサ内蔵型表示装置およびその駆動方法を得ることができる。
【００４６】
実施の形態２．
この発明の実施の形態２では、センシング信号Ｔｘのパルスを出力するＴｘラインとは別に、タッチ動作エリア外にＴｘダミーラインを設け、このＴｘダミーラインに、センシング信号Ｔｘのパルスと逆位相（１８０°）のパルスを同じタイミングで出力することで、この発明のタッチ駆動を実現する。
【００４７】
図８は、この発明の実施の形態２に係るタッチセンサ内蔵型表示装置の駆動回路を示す回路ブロック図である。図８において、この駆動回路は、図４に示した対策駆動回路６０に代えて、ＭＵＸ回路（相互容量低減部）６０Ａを備えている。駆動回路のその他のブロック構成は、図４に示したものと同様なので、説明を省略する。
【００４８】
図９は、この発明の実施の形態２に係るタッチセンサ内蔵型表示装置のダミーラインの設置例を示す説明図である。図９において、Ｔｘダミーラインは、端末のタッチ動作エリア外、すなわちディスプレイの外周のベゼル箇所に設けられている。Ｔｘダミーラインをベゼル箇所に設けることにより、タッチ動作に影響を及ぼすことがない。
【００４９】
図１０は、図８に示した駆動回路のＭＵＸ回路６０Ａを示す回路ブロック図である。また、図１１は、図８に示した駆動回路におけるタッチ駆動時の動作を示すタイミングチャートである。
【００５０】
図１０、１１より、ＭＵＸ回路６０Ａは、Ｔｘ＿ｎラインからＴｘ＿ｅｎｄラインまでの何れか１つが１（ハイ状態）である場合に、当該ＴｘラインについてＴｘスキャン電圧を出力するとともに、Ｔｘダミーラインについて逆位相スキャン電圧を出力する。また、ＭＵＸ回路６０Ａは、Ｔｘ＿ｎラインからＴｘ＿ｅｎｄラインまでの全てが０（ロー状態）である場合に、液晶駆動用の共通電圧Ｖｃｏｍを出力する。このとき、Ｔｘダミーラインは、グランド（ＧＮＤ）に接続される。
【００５１】
このように、Ｔｘライン（Ｔｘ＿ｎライン〜Ｔｘ＿ｅｎｄライン）にセンシング信号Ｔｘのパルスを出力するとともに、タッチ動作エリア外に設けられたＴｘダミーラインに、センシング信号Ｔｘのパルスと逆位相（１８０°）のパルスを同じタイミングで出力することで、この発明のタッチ駆動を実現することができる。
【００５２】
以上のように、実施の形態２によれば、タッチパネルのセンシング信号のパルスを出力するのと同じタイミングで、センシング信号のパルスとは逆位相のパルスを出力することにより、相互容量の大きさを低減する相互容量低減部を備えている。
また、相互容量低減部は、相互容量の変化を打ち消すためのキャリブレーション補正データを出力する逆位相スキャン調整回路を有している。
また、センシング信号のパルスを出力するラインとは別に、タッチ動作エリア外に設けられたダミーラインをさらに備え、相互容量低減部は、ダミーラインに、センシング信号のパルスと逆位相のパルスを、センシング信号と同じタイミングで出力するＭＵＸ回路を有している。
そのため、相互容量の大きさに関係なく、高精度にタッチポイントを検出することができるタッチセンサ内蔵型表示装置およびその駆動方法を得ることができる。
【００５３】
実施の形態３．
この発明の実施の形態３では、Ｒｘライン上にメッシュ層を設けて容量回路を形成するとともに、センシング信号Ｔｘのパルスを出力するＴｘラインと同一のＴｘラインについて、センシング信号Ｔｘのパルスと逆位相（１８０°）のパルスを用いて、相互容量を調整することで、この発明のタッチ駆動を実現する。
【００５４】
図１２は、この発明の実施の形態３に係るタッチセンサ内蔵型表示装置の駆動回路を示す回路ブロック図である。図１２において、この駆動回路は、図８に示した駆動回路に加えて、容量回路（相互容量低減部）７０を備えている。容量回路７０は、ＦＰＣ（フレキシブルプリント基板）上のＲｘラインとは異なる層に、メッシュ層を設けることで形成されている。駆動回路のその他のブロック構成は、図４に示したものと同様なので、説明を省略する。
【００５５】
図１３は、図１２に示した駆動回路のＭＵＸ回路６０Ａおよび容量回路７０を示す回路ブロック図である。また、図１４は、図１２に示した駆動回路におけるタッチ駆動時の動作を示すタイミングチャートである。
【００５６】
図１２、１３より、ＭＵＸ回路６０Ａは、Ｔｘ＿ｎラインからＴｘ＿ｅｎｄラインまでの何れか１つが１（ハイ状態）である場合に、当該ＴｘラインについてＴｘスキャン電圧を出力するとともに、容量回路７０に逆位相スキャン電圧を出力する。また、ＭＵＸ回路６０Ａは、Ｔｘ＿ｎラインからＴｘ＿ｅｎｄラインまでの全てが０（ロー状態）である場合に、液晶駆動用の共通電圧Ｖｃｏｍを出力する。このとき、容量回路７０は、グランド（ＧＮＤ）に接続される。
【００５７】
このように、Ｒｘライン上にメッシュ層を設けて容量回路を形成するとともに、Ｔｘラインに出力されたセンシング信号Ｔｘのパルス、および同一のＴｘラインにおけるこのパルスと逆位相（１８０°）のパルスを用いて、相互容量を調整することで、この発明のタッチ駆動を実現する。
【００５８】
以上のように、実施の形態３によれば、タッチパネルのセンシング信号のパルスを出力するのと同じタイミングで、センシング信号のパルスとは逆位相のパルスを出力することにより、相互容量の大きさを低減する相互容量低減部を備えている。
また、相互容量低減部は、相互容量の変化を打ち消すためのキャリブレーション補正データを出力する逆位相スキャン調整回路を有している。
また、センシング信号のパルスを出力するラインと交差し、センシング信号に対するスキャン信号が入力されるライン上に、メッシュ層を設けて形成された容量回路をさらに備え、相互容量低減部は、センシング信号のパルスを出力するラインと同一のラインについて、センシング信号のパルスと逆位相のパルスを用いて、相互容量の大きさを低減するＭＵＸ回路を有している。
そのため、相互容量の大きさに関係なく、高精度にタッチポイントを検出することができるタッチセンサ内蔵型表示装置およびその駆動方法を得ることができる。
【符号の説明】
【００５９】
１０  タッチセンサ内蔵型表示装置、１１  偏光板、１２  ＴＦＴ側ガラス基板、１３  共通電極、１４  カラーフィルタ側ガラス基板、１５  偏光板、１６  接着剤、１７  カバーガラス、２０  タイミングコントローラ、３０、３０Ａ  タッチパネルコントローラ、４０  ホストコントローラ、５０  逆位相スキャン調整回路（相互容量低減部）、５１  抵抗制御部、５２  可変抵抗、５３  オペアンプ、６０  対策駆動回路（相互容量低減部）、６０Ａ  ＭＵＸ回路（相互容量低減部）、６１  ＭＵＸ、６２  スイッチ、７０  容量回路（相互容量低減部）。
【図１】
2015118654.tif 000003
【図２】
2015118654.tif 000004
【図３】
2015118654.tif 000005
【図４】
2015118654.tif 000006
【図５】
2015118654.tif 000007
【図６】
2015118654.tif 000008
【図７】
2015118654.tif 000009
【図８】
2015118654.tif 000010
【図９】
2015118654.tif 000011
【図１０】
2015118654.tif 000012
【図１１】
2015118654.tif 000013
【図１２】
2015118654.tif 000014
【図１３】
2015118654.tif 000015
【図１４】
2015118654.tif 000016
【図１５】
2015118654.tif 000017
【図１６】
2015118654.tif 000018
【図１７】
2015118654.tif 000019
【図１８】
2015118654.tif 000020
【図１９】
2015118654.tif 000021
【図２０】
2015118654.tif 000022
【図２１】
2015118654.tif 000023